(57)【要約】【課題】  幅広のドライバ用基板を湾曲折返し状にすることによる断線の問題を解消することのできる液晶表示装置の線処理構造を提供する。バックライト給電用基板の引出し方向の自由度を高める。【解決手段】  沿面配備された配線基板２と液晶モジュール１とを電気的に接続しているドライバ用基板３１を省略する代わりに、液晶モジュール１に備わっている液晶セル１１に搭載したドライバ用コネクタ５を液晶モジュール１の裏面側に突出させる。そして、そのドライバ用コネクタ５を、配線基板２に搭載した基板側コネクタ４２に対してその配線基板２の板面に対する遠近方向で差込み接続することにより液晶モジュール１と配線基板２とを沿面配備する。バックライト給電用基板３５を液晶モジュールから任意の方向に引き出して配線基板２側のバックライト用コネクタ４５に差込み接続する。【選択図】        図６
2007219332.tif 000002
【特許請求の範囲】
【請求項１】
沿面配備された配線基板と液晶モジュールとが、フレキシブル配線基板を介して電気的に接続され、かつ、上記フレキシブル配線基板が、折返し状に折り曲げられたドライバ用基板と、折返し状に折り曲げられたバックライト給電用基板とでなる液晶表示装置の線処理構造において、
上記ドライバ用基板を省略する代わりに、液晶モジュールに備わっている液晶セルに搭載したドライバ用コネクタを液晶モジュールの裏面側に突出させ、そのドライバ用コネクタを、上記配線基板に搭載した基板側コネクタに対してその配線基板の板面に対する遠近方向で差込み接続することにより液晶モジュールと配線基板とを沿面配備してあると共に、
上記バックライト給電用基板を上記液晶モジュールから引き出してその引出端の電極を、上記配線基板に搭載されたバックライト用コネクタに対してその配線基板の板面に沿う方向で差込み接続してあることを特徴とする液晶表示装置の線処理構造。
【請求項２】
沿面配備された配線基板と液晶モジュールとを電気的に接続する液晶表示装置の線処理構造において、
液晶モジュールに備わっている液晶セルに搭載したドライバ用コネクタを液晶モジュールの裏面側に突出させ、そのドライバ用コネクタを、上記配線基板に搭載した基板側コネクタに対してその配線基板の板面に対する遠近方向で差込み接続することにより液晶モジュールと配線基板とを沿面配備したことを特徴とする液晶表示装置の線処理構造。
【請求項３】
上記液晶モジュールから引き出されたフレキシブル性を備えたバックライト給電用基板を備えていて、そのバックライト給電用基板の引出端の電極を、上記配線基板に搭載されたバックライト用コネクタに差込み接続してある請求項２に記載した液晶表示装置の線処理構造。
【発明の詳細な説明】
【技術分野】
【０００１】
本発明は、液晶表示装置の線処理構造、特に、沿面配備された配線基板と液晶モジュールとを電気的に接続するための液晶表示装置の線処理構造に関する。
【背景技術】
【０００２】
図１１は液晶表示装置の線処理構造の従来例の概略側面図である。また、図１２は従来の線処理構造を組み立てる際の途中工程を示した概略平面図である。図１１の液晶表示装置では、液晶モジュール１の外面と配線基板２の板面とが互いに沿う状態で配備されている。言い換えると、液晶モジュール１と配線基板２とが沿面配備されている。そして、その線処理構造には、沿面配備された配線基板２と液晶モジュール１とを電気的に接続しているフレキシブル配線基板３が用いられている。図１２のように、このフレキシブル配線基板３は、幅広のドライバ用基板３１と幅狭のバックライト給電用基板３５とに分かれていて、それらの各基板３１，３５の引出端の電極３２，３６が、配線基板２に搭載されている各別のドライバ用コネクタ４１とバックライト用コネクタ４５とにそれぞれ差込み接続されている。また、図１１と図１２とを併せ見ることによって判るように、ドライバ用基板３１やバックライト給電用基板３５のそれぞれの電極３２，３６は、配線基板２と液晶モジュール１とを沿面配備する前の工程で図１２のように配線基板２上の各コネクタ４１，４５にそれぞれ差込み接続され、そのような差込み接続後に、ドライバ用基板３１とバックライト給電用基板３５とが同一方向に湾曲折返し形状に折り曲げられて図１１のように液晶モジュール１と配線基板２とが沿面配備される。これは、作業を容易にして作業の確実性を高めることによる。なお、図１１及び図１２において、１００は他の配線基板や電気電子部品を示している。
【０００３】
図８は液晶モジュールの内部構成を概略で示した説明図である。同図において、１１は液晶セル、１２は導光板、１３は光学シート類をそれぞれ示している。そして、上記した従来の線処理構造に採用される液晶セル１１では、その液晶セル１１の構成部品であるガラス基板の端部に上記したドライバ用基板３１の端部電極が接続されている。また、導光板１２の端部に、ＬＥＤ素子などのバックライト用光源３７を搭載したバックライト給電用基板３５の基部が配備されている。
【０００４】
図９には上記液晶セル１１を斜視図で示してある。同図のように、ドライバ用基板３１が接続されているガラス基板１４は、液晶表示面１５の一端から少しだけ張り出していて、その張出部分１４ａに、上記ドライバ用基板３１に接続されたドライバ３１ａが搭載されている。
【０００５】
図１０には従来の線処理構造に採用されている液晶モジュール１を概略斜視図で示してある。同図の液晶モジュール１は、図８を参照して説明した液晶セル１１、導光板１２、光学シート類１３などを図１０に示した縁枠部材１７に収容することにより構成されていて、その縁枠部材１７の１辺に具備させた開口１８，１９を利用して上記したドライバ用基板３１やバックライト給電用基板３５が引き出されている。
【０００６】
一方、従来より、携帯機器に用いられる液晶パネルのガラス基板と回路基板との接続にＦＰＣ（フレキシブル配線基板）を用いた場合の問題点、すなわち、組立工数が多くなるという問題点やＦＰＣが高価であるためにコスト高になるという問題点を改善することを意図して、上記ガラス基板の端部に形成した電極を回路基板に搭載した雌型コネクタに板面方向で直接挿入することによって、回路基板と液晶パネルとを板面方向に並べて配備するという技術が提案されていた（たとえば、特許文献１参照）。また、液晶表示装置においては、液晶セルを取り付けた回路基板に搭載されているコネクタに、配線の一端を差込み接続する際に回路基板に加わる負荷を軽減するための研究も行われている（たとえば、特許文献２参照）。
【特許文献１】特開平１０−８３８７３号公報
【特許文献２】特開平１０−２６０３９４公報
【発明の開示】
【発明が解決しようとする課題】
【０００７】
しかしながら、図１１を参照して説明した従来例では、フレキシブル配線基板３に含まれるドライバ用基板３１及びバックライト給電用基板３５のうち、ドライバ用基板３１は、湾曲折返し状に折り曲げられているだけでなく幅広であるために、図８や図９に示した液晶セル１１との接続部分に加わるストレスが原因になって断線するおそれがあった。
【０００８】
また、従来例においては、液晶モジュール１からのバックライト給電用基板３５の引出し方向を、液晶モジュール１からのドライバ用基板３１の引出し方向と同じ方向に定めておき（図１２参照）、それらの各電極３２，３６を同じ方向から配線基板２側の各コネクタ４１，４５に差込み接続するという組立手順を採用することによって組立作業性を高めていたけれども、仮にバックライト給電用基板３５の引出し方向をドライバ用基板３１の引出し方向に対して直交する方向に定めると、各コネクタ４１，４５に対するそれらの基板３１，３５の差込み方向が異なってしまうためにそれだけ組立作業性が低下することが判っている。その反面で、配線基板２でのドライバ用コネクタ４１やバックライト用コネクタ４５のレイアウトは、それらを同一方向に向けて横に並べるということが必ずしも適切でない場合もあり得る。
【０００９】
本発明は以上の状況に鑑みてなされたものであり、幅広のドライバ用基板３１を湾曲折返し状にすることによる断線の問題を解消することのできる液晶表示装置の線処理構造を提供することを目的とする。
【００１０】
また、本発明は、組立作業性の低下を防ぐためには、バックライト給電用基板の液晶モジュールからの引出し方向をドライバ用基板の引出し方向に同じ方向にしなければならない、という制約を無くすることによって、バックライト給電用基板の引出し方向の自由度を高めることのできる液晶表示装置の線処理構造を提供することを目的とする。
【課題を解決するための手段】
【００１１】
本発明に係る液晶表示装置の線処理構造は、沿面配備された配線基板と液晶モジュールとを電気的に接続する液晶表示装置の線処理構造において、液晶モジュールに備わっている液晶セルに搭載したドライバ用コネクタを液晶モジュールの裏面側に突出させ、そのドライバ用コネクタを、上記配線基板に搭載した基板側コネクタに対してその配線基板の板面に対する遠近方向で差込み接続することにより液晶モジュールと配線基板とを沿面配備したものである。
【００１２】
この構成であれば、配線基板と液晶モジュールとが、基板側コネクタとドライバ用コネクタとによって電気的に接続されるために、接続箇所に断線の原因になるストレスが発生するという事態が起こりにくい。そのため、フレキシブル性を有するドライバ用基板を湾曲折返し状に折り曲げて接続する従来例のような断線の問題を生じる余地がなくなる。また、基板側コネクタとドライバ用コネクタとを差込み接続することによって液晶モジュールと配線基板とが自然に沿面配備されるようになり、しかも、その差込み接続箇所によって両者の位置決めも同時に行われるために、液晶モジュールを配線基板に対し沿面配備して位置決めするという手間がかからなくなる。
【００１３】
本発明では、上記液晶モジュールから引き出されたフレキシブル性を備えたバックライト給電用基板を備えていて、そのバックライト給電用基板の引出端の電極を、上記配線基板に搭載されたバックライト用コネクタに差込み接続してあるという構成を採用することが可能である。本発明においてこの構成を採用する場合、配線基板と液晶モジュールとが、基板側コネクタとドライバ用コネクタとの差込み接続によって電気的に接続されるものであるために、液晶モジュールからのバックライト給電用基板の引出し方向については、それを自由に定めることができ、そのようにしても組立作業性が低下するという事態を生じない。
【００１４】
本発明に係る液晶表示装置の線処理構造は、沿面配備された配線基板と液晶モジュールとが、フレキシブル配線基板を介して電気的に接続され、かつ、上記フレキシブル配線基板が、折返し状に折り曲げられたドライバ用基板と、折返し状に折り曲げられたバックライト給電用基板とでなる液晶表示装置の線処理構造において、上記ドライバ用基板を省略する代わりに、液晶モジュールに備わっている液晶セルに搭載したドライバ用コネクタを液晶モジュールの裏面側に突出させ、そのドライバ用コネクタを、上記配線基板に搭載した基板側コネクタに対してその配線基板の板面に対する遠近方向で差込み接続することにより液晶モジュールと配線基板とを沿面配備してあると共に、上記バックライト給電用基板を上記液晶モジュールから引き出してその引出端の電極を、上記配線基板に搭載されたバックライト用コネクタに対してその配線基板の板面に沿う方向で差込み接続してある、という構成を採用することによっていっそう具体化される。この発明の作用などについては、後述する実施形態を参照して詳細に説明する。
【発明の効果】
【００１５】
以上のように、本発明によれば、液晶モジュールに備わっている液晶セルに搭載したドライバ用コネクタを液晶モジュールの裏面側に突出させ、そのドライバ用コネクタを、配線基板に搭載した基板側コネクタに対してその配線基板の板面に対する遠近方向で差込み接続することにより液晶モジュールと配線基板とを沿面配備してあるので、幅広のドライバ用基板を湾曲折返し状にすることによる断線の問題を生じる余地がなくなるだけでなく、ドライバ用コネクタと基板側コネクタとの差込み接続箇所に断線の原因とするストレスを生じることもなくなる。併せて、ドライバ用コネクタを基板側コネクタに差込み接続するだけで配線基板に対する液晶モジュールの位置合わせが自然に行われるという利便もある。
【００１６】
また、液晶モジュールから引き出されたフレキシブル性を備えたバックライト給電用基板の引出端の電極を、配線基板に搭載されたバックライト用コネクタに差込み接続したものでは、バックライト給電用基板の液晶モジュールからの引出し方向をドライバ用基板の引出し方向に同じ方向にしなければならないという制約が無いので、バックライト給電用基板の引出し方向の自由度が高まり、そのために、配線基板側に搭載されるバックライト用コネクタの搭載位置などのレイアウトを自由に選択することに役立つという利点がある。
【発明を実施するための最良の形態】
【００１７】
図１は本発明の第１実施形態を示した概略側面図、図２は同概略平面図、図３は第１実施形態に採用されている液晶セル１１の概略斜視図である。
【００１８】
図３に示した液晶セル１１では、そのガラス基板１４の液晶表示面１５からの張出幅を、図９を参照して説明したガラス基板１４のそれよりもやゝ広くし、その張出部分１４ａに、当該ガラス基板１４に搭載されているドライバ３１ａに接続されたドライバ用コネクタ５を下向きに搭載してある。そして、図９に示したドライバ用基板３１を省略してある。
【００１９】
図３の液晶セル１１は、図８を参照して説明した導光板１２や光学シート類１３と共に縁枠部材に収容されることによって図１に示した液晶モジュール１として組み立てられ、その液晶モジュール１の裏面側に上記ドライバ用コネクタ５が突出される。
【００２０】
一方、図１のように、配線基板２には、上記した液晶モジュール１側のドライバ用コネクタ５の相手方コネクタとしての基板側コネクタ４２が上向きに搭載されていて、その基板側コネクタ４２に液晶モジュール１側のドライバ用コネクタ５が差込み接続されていると共に、液晶モジュール１が配線基板２に対して沿面配備されている。この実施形態において、ドライバ用コネクタ５と基板側コネクタ４２との差込み接続は、配線基板２の板面に対して液晶モジュール１を遠近方向で接近させることによって行われている。
【００２１】
この第１実施形態によると、基板側コネクタ４２に液晶モジュール１側のドライバ用コネクタ５を差込み接続するだけで液晶モジュール１と配線基板２とが接続され、しかも、、基板側コネクタ４２とドライバ用コネクタ５との接続作業を行うだけで液晶モジュール１が配線基板２に対し位置決めされた状態で沿面配備される。そのため、液晶モジュール１を配線基板２に沿面配備した後に位置決めするという煩わしさがなくなってそれだけ組立作業性が向上する。また、基板側コネクタ４２とドライバ用コネクタ５との差込み接続箇所には、断線の原因になるようなストレスが存在しないので、耐久性に優れた液晶表示装置を提供することが可能になるだけでなく、ユーザにおいても安定した画像を楽しむことができるようになる。
【００２２】
図４は本発明の第２実施形態を示した概略平面図、図５は第２実施形態に採用されている液晶モジュール１の概略斜視図である。
【００２３】
図５に示した液晶モジュール１では、図１又は図２で説明した液晶モジュール１に追加して、バックライト給電用基板３５が備わっていて、このバックライト給電用基板３５は図８や図１０に示したものと同様の構成を有している。そして、液晶モジュール１側のドライバ用コネクタ５がその相手方コネクタとして配線基板２に搭載されている基板側コネクタ４２に差込み接続されていると共に、液晶モジュール１が配線基板２に対して沿面配備されている。また、液晶モジュール１から引き出されているバックライト給電用基板３５は、湾曲折返し状に折り曲げられて配線基板２に搭載されているバックライト用コネクタ４５に差込み接続されている。
【００２４】
この第２実施形態では、バックライト給電用基板３５の電極３６を、配線基板２側のバックライト用コネクタ４５にその配線基板２の板面に沿う方向に差込み接続した後、液晶モジュール１側のドライバ用コネクタ５を基板側コネクタ４２に差込み接続してある。このようにすることにより、バックライト給電用基板３５の電極３６をバックライト用コネクタ４５に差込み接続する作業を、液晶モジュール１にじゃまされることなく楽に行うことができるという利点がある。その他の構成は図１〜図３などを参照して説明したところと同様である。
【００２５】
図６は本発明の第３実施形態を示した概略平面図、図７は第３実施形態に採用されている液晶モジュール１の概略斜視図である。
【００２６】
この第３実施形態では、バックライト給電用基板３５の液晶モジュール１からの引出し方向が、図４及び図５を参照して説明した第２実施形態と異なっている。すなわち、この第３実施形態では、バックライト給電用基板３５の液晶モジュール１からの引出し方向が、上記した第２実施形態のそれに対して直交する方向に定められている。そして、液晶モジュール１側のドライバ用コネクタ５がその相手方コネクタとして配線基板２に搭載されている基板側コネクタ４２に差込み接続されていると共に、液晶モジュール１が配線基板２に対して沿面配備されている。また、液晶モジュール１から引き出されているバックライト給電用基板３５が、湾曲折返し状に折り曲げられて配線基板２に搭載されているバックライト用コネクタ４５に差込み接続されている。その他の構成は、上記した第２実施形態と同様である。
【００２７】
上記した各実施形態に係る液晶表示装置の線処理構造は、たとえば、プリンタの液晶表示部に適用できるほか、携帯電話機やデジタルカメラなどの液晶表示部などに汎用的に適用することができるものである。
【図面の簡単な説明】
【００２８】
【図１】本発明の第１実施形態を示した概略側面図である。
【図２】同概略平面図である。
【図３】第１実施形態に採用されている液晶セルの概略斜視図である。
【図４】本発明の第２実施形態を示した概略平面図である。
【図５】第２実施形態に採用されている液晶モジュールの概略斜視図である。
【図６】本発明の第３実施形態を示した概略平面図である。
【図７】第３実施形態に採用されている液晶モジュールの概略斜視図である。
【図８】液晶モジュールの内部構成を概略で示した説明図である。
【図９】液晶セルの斜視図である。
【図１０】従来の線処理構造に採用されている液晶モジュールの概略斜視図である。
【図１１】従来例の概略側面図である。
【図１２】従来の線処理構造を組み立てる際の途中工程を示した概略平面図である。
【符号の説明】
【００２９】
１  液晶モジュール
２  配線基板
３  フレキシブル配線基板
５  ドライバ用コネクタ
１１  液晶セル
３１  ドライバ用基板
３５  バックライト給電用基板
４２  基板側コネクタ
【図１】
2007219332.tif 000003
【図２】
2007219332.tif 000004
【図３】
2007219332.tif 000005
【図４】
2007219332.tif 000006
【図５】
2007219332.tif 000007
【図６】
2007219332.tif 000008
【図７】
2007219332.tif 000009
【図８】
2007219332.tif 000010
【図９】
2007219332.tif 000011
【図１０】
2007219332.tif 000012
【図１１】
2007219332.tif 000013
【図１２】
2007219332.tif 000014